(57)【要約】【課題】剥離時の不具合を防止することができる薬剤揮散装置を提供する。【解決手段】ケース本体１１内に収容されたカートリッジ１２を使用する際にカートリッジ本体２１より延出するとともにカートリッジ本体２１の表面５２に沿って折り返された延出部２５を引っ張ってカートリッジ本体２１に設けられたシート体４１を剥離する。延出部２５が折り返されたカートリッジ本体２１の折返し部分１６１において、カートリッジ本体２１の表面５２側へ向けて突出する横リブ２２３をケース本体１１に設ける。また、前記折返し部１６１において、カートリッジ本体２１の裏面１６２側へ向けて突出する縦リブ１５１をケース本体１１に設ける。【選択図】図１
2015117043.tif 000002
【特許請求の範囲】
【請求項１】
ケース本体内に収容されたカートリッジを使用する際に、該カートリッジのカートリッジ本体より延出するとともに該カートリッジ本体の表面に沿って折り返された延出部を引っ張って前記カートリッジ本体に設けられたシート体を剥離する薬剤揮散装置において、
前記ケース本体内に前記カートリッジを収容した状態で、前記延出部が折り返された前記カートリッジ本体の折返し部分側において、該カートリッジ本体の前記表面側へ向けて突出する表面側突出部を前記ケース本体に設けたことを特徴とする薬剤揮散装置。
【請求項２】
前記ケース本体内に前記カートリッジを収容した状態で、前記延出部が折り返された前記カートリッジ本体の折返し部分側において、該カートリッジ本体の裏面側へ向けて突出する裏面側突出部を前記ケース本体に設けたことを特徴とする請求項１記載の薬剤揮散装置。
【請求項３】
前記表面側突出部を、前記延出部の引っ張り方向に対して交差する方向に延在する横リブで構成するとともに、前記裏面側突出部を、前記引っ張り方向に延在する縦リブで構成したことを特徴とする請求項２記載の薬剤揮散装置。
【発明の詳細な説明】
【技術分野】
【０００１】
本発明は、薬剤を揮散する薬剤揮散装置に関する。
【背景技術】
【０００２】
従来、薬剤を揮散する薬剤揮散装置が知られており、この薬剤揮散装置としては、ケース本体と該ケース本体内に収容されるカートリッジとによって構成されたものが知られている。
【０００３】
このカートリッジは、プラスチックで形成されたカートリッジ本体を備えており、該カートリッジ本体には、液状薬剤を収容する容器部と、該容器部の開口縁部に設けられたフランジ部と、該フランジ部より延出した延出部とが形成されている。前記容器部内には、前記液状薬剤が収容されており、該容器部が開口する前記カートリッジ本体の開口部側の面には、透過膜と薬剤不透過性シートとが順に積層されている。
【０００４】
前記透過膜は、前記容器部からの前記液状薬剤の漏れを防止する一方、気化した液状薬剤は透過できるように構成されており、前記薬剤不透過性シートは、気化した液状薬剤の透過も防止できるように構成されている。
【０００５】
前記カートリッジ本体には、前記容器部を包囲した前記フランジ部と前記延出部との間に切り込みが設けられており、前記延出部を前記切り込みにて折曲するとともに、前記容器部の表面側へ折り返すことができるように構成されている。この状態で、当該カートリッジを前記ケース本体に収容した際には、前記延出部が前記ケース本体から延出するように構成されており、当該延出部を引っ張ることで、前記薬剤不透過性シートを剥離して前記液状薬剤を揮散できるように構成されている。
【発明の概要】
【発明が解決しようとする課題】
【０００６】
しかしながら、このような薬剤揮散装置にあっては、カートリッジ本体の材質により硬度にばらつきが生ずる。
【０００７】
このため、前記カートリッジ本体の剛性が比較的低い場合、延出部を引っ張る際に、前記カートリッジ本体が変形してしまい、薬剤不透過性シートを剥離する力が分散してしまう。
【０００８】
これにより、このような場合には、前記薬剤不透過性シートを剥離する際に力を要するという問題が生じてしまう。
【０００９】
本発明は、このような従来の課題に鑑みてなされたものであり、剥離時の不具合を防止することができる薬剤揮散装置を提供することを目的とするものである。
【課題を解決するための手段】
【００１０】
前記課題を解決するために本発明の請求項１の薬剤揮散装置にあっては、ケース本体内に収容されたカートリッジを使用する際に、該カートリッジのカートリッジ本体より延出するとともに該カートリッジ本体の表面に沿って折り返された延出部を引っ張って前記カートリッジ本体に設けられたシート体を剥離する薬剤揮散装置において、前記ケース本体内に前記カートリッジを収容した状態で、前記延出部が折り返された前記カートリッジ本体の折返し部分側において、該カートリッジ本体の前記表面側へ向けて突出する表面側突出部を前記ケース本体に設けた。
【００１１】
すなわち、ケース本体内に収容されたカートリッジを使用する際には、カートリッジ本体より延出した延出部を引っ張って前記カートリッジ本体に設けられたシート体を剥離する。このとき、前記カートリッジ本体の剛性が低い場合、前記延出部の引っ張り力によって前記カートリッジ本体の折返し部分に表面側へ向けた変形力が生ずる。
【００１２】
しかし、前記カートリッジ本体の折返し部分側においては、該カートリッジ本体の表面側へ向けて突出する表面側突出部が設けられている。このため、前記カートリッジ本体の前記折返し部分が前記表面側突出部に当接することで、前記折返し部分の前記表面側への変形が阻止される。
【００１３】
また、請求項２の薬剤揮散装置においては、前記ケース本体内に前記カートリッジを収容した状態で、前記延出部が折り返された前記カートリッジ本体の折返し部分側において、該カートリッジ本体の裏面側へ向けて突出する裏面側突出部を前記ケース本体に設けた。
【００１４】
すなわち、前記カートリッジ本体の折返し部分側においては、該カートリッジ本体の裏面側へ向けて突出する裏面側突出部が設けられている。
【００１５】
このため、前記折返し部分は、この裏面側突出部と前記表面側突出部との間に配置される。
【００１６】
さらに、請求項３の薬剤揮散装置では、前記表面側突出部を、前記延出部の引っ張り方向に対して交差する方向に延在する横リブで構成するとともに、前記裏面側突出部を、前記引っ張り方向に延在する縦リブで構成した。
【００１７】
すなわち、前記折返し部分を表面側から支持する表面側突出部は、前記延出部の引っ張り方向に対して交差する方向に延在する横リブで構成されており、当該折返し部分の変形は、前記カートリッジ本体の幅方向に延在する前記横リブで阻止される。
【００１８】
また、前記折返し部分を裏面側から支持する前記裏面側突出部は、前記引っ張り方向に延在する縦リブで構成されており、当該縦リブを形成する材料費が抑えられる。
【発明の効果】
【００１９】
以上説明したように本発明の請求項１の薬剤揮散装置にあっては、延出部を引っ張ってカートリッジ本体のシート体を剥離する際に前記カートリッジ本体の折返し部分に表面側へ向けた変形力が生ずることがある。
【００２０】
このとき、前記カートリッジ本体の折返し部分側においては、該カートリッジ本体の表面側へ向けて突出する表面側突出部が設けられている。このため、前記カートリッジ本体の折返し部分が表面側へ変形した際には、前記表面側突出部に当接することで、当該折返し部分の前記表面側への変形を阻止することができる。
【００２１】
したがって、延出部を引っ張る際に折返し部分が変形してしまい、シート体を剥離する力が分散してしまう場合と比較して、シート体の剥離に要する力を小さくすることができる。これにより、前記シート体の剥離が容易となり、利便性が向上する。
【００２２】
また、請求項２の薬剤揮散装置では、前記カートリッジ本体の折返し部分側において、該カートリッジ本体の裏面側へ向けて突出する裏面側突出部が設けられている。
【００２３】
このため、前記折返し部分を、この裏面側突出部と前記表面側突出部との間に配置することができる。
【００２４】
これにより、前記折返し部分を上下から保持することができ、当該折返し部分の裏面側へ突出する反り及び逃げを確実に防止することができる。
【００２５】
さらに、請求項３の薬剤揮散装置では、前記折返し部分を表面側から支持する表面側突出部を、前記延出部の引っ張り方向に対して交差方向に延在する横リブで構成したので、当該折返し部分の変形を幅方向に渡って阻止することができる。
【００２６】
このため、前記折返し部の変形を一点で阻止する場合と比較して、前記シート体が前記延出部の引っ張り方向に対して斜めに剥離されるといった不具合を未然に防止することができる。
【００２７】
また、前記折返し部分を裏面側から支持する前記裏面側突出部は、前記引っ張り方向に延在する縦リブで構成されている。このため、当該縦リブを、前記カートリッジ本体の幅方向に延在するリブで構成した場合と比較して、当該縦リブを形成する為の材料費を抑えることができる。これにより、低コスト化を図ることができる。
【図面の簡単な説明】
【００２８】
【図１】本発明の第一の実施の形態を示す断面図である。
【図２】同実施の形態のカートリッジを示す図で、（ａ）は平面図であり、（ｂ）は断面図である。
【図３】同実施の形態のカートリッジの利用形態を示す図で、（ａ）は延出部を折り返した状態を示す断面図であり、（ｂ）は延出部を引っ張ってシート体を途中まで剥離した状態を示す断面図である。
【図４】同実施の形態のケース本体を展開した状態を示す斜視図である。
【図５】同実施の形態のケース本体を展開した状態を裏側から見た斜視図である。
【図６】同実施の形態のケース本体を展開した状態の底面図である。
【発明を実施するための形態】
【００２９】
以下、本発明の一実施の形態を図に従って説明する。
【００３０】
図１は、本実施の形態にかかる薬剤揮散装置１を示す図であり、該薬剤揮散装置１の断面が示されている。
【００３１】
この薬剤揮散装置１は、靴型のケース本体１１と、該ケース本体１１内に交換自在に収容されたカートリッジ１２とによって構成されており、該カートリッジ１２内に収容された液状薬剤を空間に付与できるように構成されている。
【００３２】
このカートリッジ１２は、図２に示すように、プラスチックで形成されたカートリッジ本体２１を備えており、該カートリッジ本体２１には、液状薬剤２２を収容する容器部２３と、該容器部２３の開口縁部に設けられたフランジ部２４と、該フランジ部２４より側方へ延出した延出部２５とによってスプーン形状に形成されている。
【００３３】
前記容器部２３内には、前記液状薬剤２２が収容されており、前記カートリッジ本体２１には、透過膜３１が積層されている。該透過膜３１は、前記フランジ部２４及び前記延出部２５に接着されており、前記容器部２３の開口部は、前記透過膜３１で閉鎖されるように構成されている。前記フランジ部２４と前記延出部２５との間には、図２の（ａ）に示したように、前記透過膜３１が接着されない非接着領域３２が設定されており、前記フランジ部２４と前記延出部２５との間には、前記フランジ部２４側に接着された前記透過膜３１と前記延出部２５側に接着された前記透過膜３１との分離を容易とするための「くの字状」の境界線３３が形成されている。
【００３４】
前記透過膜３１は、前記容器部２３からの前記液状薬剤２２の漏れを防止する一方、気化した液状薬剤２２は透過するように構成されており、気化された前記液状薬剤２２のみを揮散できるように構成されている。この透過膜３１には、薬剤不透過性シートにアルミ蒸着したシート体４１が積層されており、該シート体４１は、気化した液状薬剤２２の透過も防止できるように構成されている。これにより、前記シート体４１が積層された未使用状態では、前記液状薬剤２２の揮散を防止できるように構成されている。
【００３５】
前記カートリッジ本体２１及び前記透過膜３１には、前記容器部２３を包囲した前記フランジ部２４と前記延出部２５との間に切り込み５１が設けられており、該切り込み５１は、前記延出部２５を横断するように設定されている。これにより、当該カートリッジ本体２１は、図３に示すように、前記切り込み５１にて折曲できるように構成されており、前記延出部２５を前記容器部２３の開口部側である表面５２側へ折り返せるように構成されている。
【００３６】
この状態で、当該カートリッジ１２を前記ケース本体１１に収容した際には、図１に示したように、前記延出部２５が前記ケース本体１１から延出するように構成されており、当該延出部２５を引っ張ることで、前記シート体４１を、図３の（ｂ）に示すように、前記延出部２５及び該延出部２５に接着された前記透過膜３１と共に剥離して前記液状薬剤２２の揮散を開始できるように構成されている。
【００３７】
ここで、前記液状薬剤２２としては、芳香剤や消臭剤や防虫剤等が挙げられる。
【００３８】
前記ケース本体１１は、図４から図６にも示すように、上部を形成する上部ケース１０１と、該上部ケース１０１にヒンジ部１０２を介して連結された下部を形成する下部ケース１０３とで構成されており、前記上部ケース１０１と前記下部ケース１０３とを並設された開放状態１０４と、図１に示したように、前記上部ケース１０１を前記下部ケース１０３に沿って配置して当該上部ケース１０１と前記下部ケース１０３との間に収容空間を形成した閉鎖状態１０５を形成可能に構成されている。
【００３９】
前記上部ケース１０１は、図４から図６に示したように、楕円形状に形成されており、中央部が表面側に膨出した断面円弧状に形成されている。この上部ケース１０１には、紐靴のデザインが施されており、その足挿入部分は、開口している。また、靴紐１１１間も、開口しており、これらの開口部によって、内部に収容された前記カートリッジ１２内の液状薬剤２２の残量を視認することができる視認窓１１２，・・・が構成されている。
【００４０】
この上部ケース１０１の前縁には、切欠部１２１が設けられており、当該上部ケース１０１と前記下部ケース１０３とで前記ケース本体１１を形成した状態で、前記カートリッジ１２の前記延出部２５を延出する為の引き出し口１２２を形成できるように構成されている（図１参照）。
【００４１】
前記上部ケース１０１の後縁部には、阻止片１３１が後方へ向けて延出している。該阻止片１３１は、図１に示したように、先端に向かうに従って裏側に延出するように傾斜して設けられている。この阻止片１３１の裏面には、図６に示したように、係合凸部１３２が突設されており、該係合凸部１３２は、長方形状に形成されている。
【００４２】
前記阻止片１３１が延出した前記上部ケース１０１の後縁部には、後縁円柱部１４１が立設されており、前記上部ケース１０１の両側縁の部位にも、四箇所に円柱部１４２，・・・が立設されている。
【００４３】
前記後縁円柱部１４１の側面からは、裏面側突出部を構成する縦リブ１５１が延出しており、該縦リブ１５１は、前記後縁円柱部１４１より低く設定されている。この縦リブ１５１は、前記後縁円柱部１４１より前方へ向けて延出しており、前記延出部２５の引っ張り方向１５２に延在するように構成されている。
【００４４】
この縦リブ１５１は、図１に示したように、前記ケース本体１１内に前記カートリッジ１２を収容した状態で、前記延出部２５が折り返された前記カートリッジ本体２１の折返し部１６１において、当該カートリッジ本体２１の裏面１６２側へ向けて突出するように構成されており、収容された前記カートリッジ１２において、カートリッジ本体２１の前記フランジ部２４における前記裏面１６２に近接又は当接するように構成されている。
【００４５】
前記下部ケース１０３も、図４から図６に示したように、楕円形状に形成されており、前記上部ケース１０１と適合する形状に形成されている。この下部ケース１０３には、四隅に長方形状の揮散口２０１，・・・が設けられており、収容された前記カートリッジ１２から揮散された液状薬剤２２を外部に放出できるように構成されている。
【００４６】
この下部ケース１０３の内側面には、図５及び図６に示したように、前部に位置する一対の前部補強リブ２１１，２１１と後部に位置する後部補強リブ２１２，２１２が一体形成されており、前記各補強リブ２１１，２１１，２１２，２１２の基端部には、円形穴２１３，・・・が設けられているとともに、前記下部ケース１０３の後縁部には、後縁円形穴２１４が設けられている。
【００４７】
これらの円形穴２１３，・・・、２１４は、前記上部ケース１０１に設けられた前記各円柱部１４２，・・・、１４１に対応する位置に設けられており、前記下部ケース１０３を前記上部ケース１０１の裏側に折り返した状態で、前記各円柱部１４２，・・・、１４１が対応する前記円形穴２１３，・・・、２１４に係合することで、前記両ケース１０１，１０３が係合するように構成されている。
【００４８】
前記後縁円形穴２１４を形成する円筒部２２１の側面からは、該円筒部２２１より低い縦壁２２２が前方へ向けて延出しており、該縦壁２２２の先端には、左右方向に延在した裏面側突出部を構成する横リブ２２３が一体形成されている。
【００４９】
該横リブ２２３は、図１に示したように、前記ケース本体１１内に前記カートリッジ１２を収容した状態で、前記延出部２５が折り返された前記カートリッジ本体２１の折返し部１６１において、当該カートリッジ本体２１の前記表面５２側へ向けて突出するように構成されており、収容された前記カートリッジ１２において、折り返された前記延出部２５に近接又は当接するように構成されている。
【００５０】
そして、この横リブ２２３は、図６に示したように、前記引っ張り方向１５２に対して交差する方向に延在しており、本実施の形態では、前記引っ張り方向１５２に対して直交するように設けられている。
【００５１】
前記下部ケース１０３の後縁からは、図４から図６に示したように、延出片２３１が外方へ向けて延出しており、前記ケース本体１１から前記延出片２３１が延出するように構成されている。該延出片２３１は、前記下部ケース１０３より短い板状に形成されており、基端部には折曲した折曲部２３２が設けられている（図４参照）。これにより、当該延出片２３１は、断面Ｌ字状に形成されている。
【００５２】
この延出片２３１と前記下部ケース１０３との間には、図６に示したように、折曲部２４１が設けられており、該折曲部２４１は、ヒンジで構成されている。これにより、前記延出片２３１は、その基部に設けられた前記折曲部２４１で折曲することで、当該延出片２３１を前記ケース本体１１を構成する前記下部ケース１０３側へ折り返せるように構成されている（図１参照）。
【００５３】
この延出片２３１は、図４にも示したように、Ｔ字状に形成されており、その先端部には、長方形状の突条２５１が形成されている。また、この突条２５１の基端側には、円形穴２５２，２５２が二箇所に形成されている。この延出片２３１が折り返される前記下部ケース１０３の部位には、前記延出片２３１を配置可能な延出片収容凹部２５３が凹設されている。
【００５４】
該延出片収容凹部２５３内には、円柱部２６１，２６１が二箇所に立設されており、前記延出片２３１を前記下部ケース１０３側に折り返した状態で、前記円柱部２６１，２６１が前記延出片２３１の前記円形穴２５２，２５２と係合するように構成されている。また、前記円柱部２６１の先端側には、長方形状の長方形凹部２６２が設けられており、前記延出片２３１を前記下部ケース１０３側に折り返して前記延出片収容凹部２５３内に配置した状態で、前記延出片２３１に形成された前記突条２５１が前記長方形凹部２６２と係合するように構成されている（図１参照）。
【００５５】
これにより、前記延出片２３１を、前記ケース本体１１に沿って配置した格納状態を形成できるように構成されており、この格納状態で前記延出片２３１の不用意な揺動を防止することで、当該ケース本体１１をパッケージに収容する際には、コンパクト化を図れるとともに、輸送・展示の際に生じ得る不具合を未然に防止することができる。
【００５６】
そして、前記延出片２３１の自由端部を前記ケース本体１１を構成する前記下部ケース１０３から離間することで、前記延出片２３１と前記下部ケース１０３との間に引っ掛け空間を形成できるように構成されており（図示省略）、この状態において、前記上部ケース１０１に設けられた前記阻止片１３１が前記延出片２３１基端の折曲部２３２に当接することで、当該延出片２３１の前記ケース本体１１から離間する方向への回動を阻止し前記延出片２３１と前記ケース本体１１を構成する前記下部ケース１０３とでフック形状を形成できるように構成されている。
【００５７】
このとき、前記延出片２３１基端の前記折曲部２３２には、図６に示したように、矩形状の係合穴２７１が設けられており、該係合穴２７１には、前記阻止片１３１に設けられた前記係合凸部１３２が挿入された状態で係合するように構成されている。これにより、前記延出片２３１及び前記阻止片１３１には、互いに係合する係合手段が設けられており、前記延出片２３１が前記阻止片１３１に当接した状態を維持することで、前記延出片２３１の前記ケース本体１１側への不用意な移動を防止できるように構成されている。
【００５８】
以上の構成にかかる本実施において、ケース本体１１内に収容されたカートリッジ１２を使用する際には、カートリッジ本体２１より延出した延出部２５を引っ張って前記カートリッジ本体２１に設けられたシート体４１を剥離する。このとき、前記カートリッジ本体２１の剛性が低い場合、前記延出部２５の引っ張り力によって前記カートリッジ本体２１の折返し部１６１に表面５２側へ向けた変形力が生ずることがある。
【００５９】
そこで、本実施の形態の薬剤揮散装置１では、前記カートリッジ本体２１の折返し部１６１においては、該カートリッジ本体２１の表面５２側へ向けて突出する表面側突出部としての横リブ２２３が設けられている。このため、前記カートリッジ本体２１の前記折返し部１６１が前記横リブ２２３に当接して支持されることで、前記折返し部１６１の前記表面５２側への変形を阻止することができる。
【００６０】
したがって、延出部を引っ張る際に折返し部分が変形してしまい、シート体を剥離する力が分散してしまう場合と比較して、シート体４１の剥離に要する力を小さくすることができる。これにより、前記シート体４１の剥離が容易となり、利便性が向上する。
【００６１】
また、本実施の形態の薬剤揮散装置１では、前記カートリッジ本体２１の折返し部１６１において、該カートリッジ本体２１の裏面１６２側へ向けて突出する裏面側突出部としての縦リブ１５１が設けられている。
【００６２】
このため、前記折返し部１６１を、この縦リブ１５１と前記横リブ２２３との間に配置することができる。
【００６３】
これにより、前記折返し部１６１を上下から保持することができ、当該折返し部１６１の裏面１６２側へ突出する反り及び逃げを確実に防止することができる。
【００６４】
そして、前記折返し部１６１を表面５２側から支持する前記横リブ２２３を、前記延出部２５の引っ張り方向１５２に対して直交方向に延設した。これにより、当該折返し部１６１の変形を幅方向に渡って阻止することができる。
【００６５】
このため、前記折返し部１６１の変形を一点で阻止する場合と比較して、前記シート体４１が前記延出部２５の引っ張り方向１５２に対して斜めに剥離されるといった不具合を未然に防止することができる。
【００６６】
また、前記折返し部１６１を裏面１６２側から支持する前記縦リブ１５１は、前記引っ張り方向１５２に延設されている。このため、当該縦リブ１５１を、前記カートリッジ本体２１の幅方向に延在するリブで構成した場合と比較して、当該縦リブ１５１を形成する為の材料費を抑えることができる。これにより、低コスト化を図ることができる。
【符号の説明】
【００６７】
１    薬剤揮散装置
１１    ケース本体
１２    カートリッジ
２１    カートリッジ本体
２５    延出部
１５１    縦リブ
１５２    引っ張り方向
１６１    折返し部
１６２    裏面
２２３    横リブ
【図１】
2015117043.tif 000003
【図２】
2015117043.tif 000004
【図３】
2015117043.tif 000005
【図４】
2015117043.tif 000006
【図５】
2015117043.tif 000007
【図６】
2015117043.tif 000008